(57)【要約】  ファンを収容するファンケーシングを筐体内に有する空気調和装置。ファンケーシングは、筐体に固定されるケーシング本体部と、ケーシング本体部に固定されるケーシング分割部と、ケーシング本体部及びケーシング分割部によって形成される吸込口に配設されるベルマウス部と、を有する。ベルマウス部は、一体成形され、ケーシング本体部及びケーシング分割部から分離可能に構成されている。
2017134720.tif 000002
【特許請求の範囲】
【請求項１】
ファンと、
前記ファンを収容し、空気を給気する吸込口及び前記吸込口から給気された前記空気を吹き出す吹出口が形成されたファンケーシングと、
前記ファンによって流動する前記空気が通過する熱交換器と、
前記空気の吹出部及び吸込部が形成され、前記ファンを収容した前記ファンケーシング及び前記熱交換器が内部に設けられた筐体と、
を有し、
前記ファンケーシングは、
前記筐体に固定されるケーシング本体部と、
前記ケーシング本体部に固定されるケーシング分割部と、
前記ケーシング本体部及び前記ケーシング分割部によって形成される前記吸込口に配設された一体成形品であるベルマウス部と、を有する空気調和装置。
【請求項２】
前記ファンの外径は、前記吸込口の径よりも小さい請求項１に記載の空気調和装置。
【請求項３】
前記ベルマウス部の開口径は、前記ファンの外径よりも小さい請求項１又は２に記載の空気調和装置。
【請求項４】
前記ベルマウス部は、前記ケーシング本体部と前記ケーシング分割部との接合面の少なくとも一部を塞ぐものである請求項１〜３の何れか一項に記載の空気調和装置。
【請求項５】
前記ケーシング本体部と前記ケーシング分割部とは、二箇所で接合されており、
前記ベルマウス部の外径は、前記ケーシング本体部と前記ケーシング分割部との接合部のうちの少なくとも一方を基準とした外径以上の長さである請求項１〜４の何れか一項に記載の空気調和装置。
【請求項６】
前記ケーシング分割部は、前記ケーシング本体部との接合部に、前記ケーシング本体部に向かって延び、前記ケーシング本体部の内面に接する差込部を有する請求項１〜５の何れか一項に記載の空気調和装置。
【請求項７】
前記ケーシング分割部は、
上端部にフランジ状の折り曲げ部を有すると共に、
前記折り曲げ部の上端部から前記ケーシング本体部に向かって延びる係止部を有する請求項１〜６の何れか一項に記載の空気調和装置。
【発明の詳細な説明】
【技術分野】
【０００１】
本発明は、ファンを収納するファンケーシングを備えた空気調和装置に関する。
【背景技術】
【０００２】
従来から、熱交換器において熱交換された空気を被調和室内に送風するファンを備えた空気調和装置が用いられている（例えば特許文献１参照）。特許文献１の空気調和装置は、ファンモータの回転軸に連結されたファンの回転により、筐体の空気吸込口からファンケーシング内に空気を吸い込み、ファンケーシングから吹き出した空気を熱交換器へ送るように構成されている。そして、熱交換器へ送られた空気が、熱源機から熱交換器に流入する熱媒体と熱交換した後、筐体の空気吹出口から吹き出すことによって室内温度が調整される。【０００３】
しかしながら、特許文献１の空気調和装置は、ファンモータとファンとが直接連結され、ファンケーシングの吸込口にファンモータの回転軸を通した形となっている。このため、ファンモータのみ、或いはファンのみをメンテナンスしようとしても、ファンモータの回転軸がファンケーシングと干渉することから、ファンケーシングごと取り外す大掛かりなメンテナンスが必要となる。【０００４】
こうした課題から、メンテナンス時のファンモータ及びファンの取り外しを容易にするため、ファンケーシングを二つの分割体に分割できるようにした空気調和装置が提案されている（例えば特許文献２参照）。特許文献２の空気調和装置において、ファンケーシングを構成する二つの分割体の取り付けは、爪状の係止部によって行われる。
【先行技術文献】
【特許文献】
【０００５】
【特許文献１】実開平４−４６１４号公報
【特許文献２】特開２０１３−２４９７６６号公報
【発明の概要】
【発明が解決しようとする課題】
【０００６】
しかしながら、特許文献２のファンケーシングは、空気の吸込み部の曲面部分であるベルマウス部も含めて二つに分割されている。このため、二つの分割体の接合面にズレが生じると、そのズレがたとえわずかであっても、ずれた端部に生じたエッジ部は、風切り音の発生原因となる。【０００７】
本発明は、上記のような課題を解決するためになされたものであり、メンテナンス性が高く、かつファンの送風時における風切り音を抑制する空気調和装置を提供することを目的とする。
【課題を解決するための手段】
【０００８】
本発明に係る空気調和装置は、ファンと、ファンを収容し、空気を給気する吸込口及び吸込口から給気された空気を吹き出す吹出口が形成されたファンケーシングと、ファンによって流動する空気が通過する熱交換器と、空気の吹出部及び吸込部が形成され、ファンを収容したファンケーシング及び熱交換器が内部に設けられた筐体と、を有し、ファンケーシングは、筐体に固定されるケーシング本体部と、ケーシング本体部に固定されるケーシング分割部と、ケーシング本体部及びケーシング分割部によって形成される吸込口に配設された一体成形品であるベルマウス部と、を有するものである。
【発明の効果】
【０００９】
本発明は、ファンを収容するファンケーシングが、筐体に固定されるケーシング本体部と、ケーシング本体部に固定されるケーシング分割部と、一体成形品であるベルマウス部と、に分割可能であり、ベルマウス部は、ケーシング本体部及びケーシング分割部によって形成される吸込口に配設される。このため、メンテナンス性の向上を図ると共に、ファンの送風時における風切り音を抑制することができる。
【図面の簡単な説明】
【００１０】
【図１】本発明の実施の形態に係る空気調和装置の室内機を前面からみた外観斜視図である。
【図２】図１の空気調和装置の室内機を背面からみた外観斜視図である。
【図３】図１の空気調和装置の室内機を前面からみた内部斜視図である。
【図４】図１の空気調和装置の室内機に備わるファンケーシングの外観斜視図である。
【図５】図４のファンケーシングの分解構造斜視図である。
【発明を実施するための形態】
【００１１】
実施の形態．
図１は、本発明の実施の形態に係る空気調和装置の室内機を前面からみた外観斜視図である。図２は、図１の空気調和装置の室内機を背面からみた外観斜視図である。図３は、図１の空気調和装置の室内機を前面からみた内部斜視図である。図１〜図３に基づき、本実施の形態に係る空気調和装置の室内機の構成について説明する。なお、図１〜図３では、ｘ軸正方向を前方向、ｙ軸正方向を右方向、ｚ軸正方向を上方向と定義する。
【００１２】
本実施の形態における空気調和装置の室内機１０は、被調和室に配設されており、屋外などに設置された熱源機（図示せず）に、熱媒体を循環させる配管を介して接続されている。室内機１０は、熱源機にて排熱又は吸熱された熱媒体を循環させ、被調和室内の空気調和を行うものである。
【００１３】
図１〜図３に示すように、室内機１０は、筐体１１を有している。筐体１１は、上部に空気（被調和空気）を吹き出す吹出部１２を有し、前面部に空気を吸い込む前側吸込部１３を有し、背面部に空気を吸い込む後側吸込部１４を有している。また、筐体１１は、右側面パネル２４及び左側面パネル２５を有している。右側面パネル２４と左側面パネル２５とは、筐体１１において、左右対称に配設されている。
【００１４】
さらに、室内機１０は、筐体１１の内部に、空気を送風するファン７と、ファン７を駆動するモータ８と、ファン７を収容するファンケーシング１と、熱源機から流入する熱媒体と空気とを熱交換させる熱交換器３０と、を有している。
【００１５】
室内機１０は、例えば、被調和室内の床面に設置され、吹出部１２の周囲に配置された吹出フランジ１５が、被調和室内の天井に配置された吹出ダクトに接続されている。室内機１０は、ファン７を駆動させることで、被調和室内の空気を前側吸込部１３及び後側吸込部１４から吸い込み、熱交換器３０を通し、熱交換器３０の内部の熱媒体と空気とを熱交換させ、吹出部１２及び吹出ダクトを経て、再び被調和室内に供給している。つまり、室内機１０は、被調和室内の空気を循環させることにより、空気調和を行うものである。
【００１６】
ファン７は、例えば、遠心式のシロッコファンからなり、複数の羽根７ａが円筒形状に配置されている。すなわち、ファン７は、ファンケーシング１の側面方向から内部に空気を吸込み、吸い込んだ空気を、遠心力の作用で外側に放出するものである。本実施の形態では、ファン７として、両吸込形のシロッコファンを採用している。
【００１７】
ファン７の周囲には、ファンケーシング１が設けられている。ファンケーシング１は、筐体１１に備わる天パネル１９と、前側フレーム２０と、後側フレーム２１とに固定されている。ファンケーシング１は、前側フレーム２０及び後側フレーム２１に固定する際に用いる固定部材１ｆを有している。
【００１８】
モータ８は、モータ取付板２２に取り付けられており、モータ取付板２２は、モータ台２３に取り付けられている。モータ取付板２２の前側は、モータ台２３にネジによって取り付けられており、モータ取付板２２の後側は、ピン（不図示）によって係止されている。このため、前側のネジを外し、後側のピンを外せる程度にモータ取付板２２を動かせば、モータ８をモータ取付板２２ごと取り外すことができる。
【００１９】
熱交換器３０は、例えばフィンアンドチューブ型熱交換器からなり、筐体１１内に斜めに配置されている。かかる配置は、有効面積を確保すると共に室内機１０の外形寸法を小さくするためのものであるが、同時に空気が必ず熱交換器３０を通過するように誘導する仕切板の役割も兼ねている。
【００２０】
また、熱交換器３０の下部にはドレン受け１６が設けられている。ドレン受け１６は、結露水を効率よく排出させるため、右斜め前方向に傾斜しており、端部に設けられた開口がドレン導水部１７の上端部に接続されている。
【００２１】
ドレン導水部１７は管形状となっている。これは、結露水が送風によって巻き上げられ、供給する空気に混在しないようにするためである。ドレン導水部１７の下端部は、ドレンパン１８上に設けられている。ドレンパン１８は、右方向に傾斜しており、端部にはドレン口１８ａが設けられている。
【００２２】
すなわち、熱交換器３０における空気との熱交換によって生じた結露水は、ドレン受け１６を通り、ドレン導水部１７及びドレンパン１８を経て、ドレン口１８ａより排出される。
【００２３】
ここで、本実施の形態におけるドレンパン１８は、塗装により耐食性を向上させた鋼板製である。もっとも、ドレンパン１８は、例えば発泡スチロール等の樹脂材を用いて形成されていてもよい。ただし、該樹脂材を用いて形成したドレンパン１８は、結露水を受ける面を、防カビ処理及び防水処理が施された樹脂シート等で保護する必要がある。
【００２４】
なお、ドレン受け１６の傾斜方向は、図３の例に限らず、ドレン導水部１７の位置関係に応じて変更してもよい。例えば、筐体１１内の前側中央にドレン導水部１７を配置する場合は、当該ドレン導水部１７の上端部に繋がるようにドレン受け１６に傾斜をつけるようにするとよい。
【００２５】
また、ドレンパン１８の傾斜方向は、図３の例に限らず、ドレン口１８ａの位置関係に応じて変更してもよい。例えば、ドレン口１８ａが左右の端部どちらにも設けられたドレンパン１８を採用した場合は、施工時のドレン配管の方向によって使用するドレン口１８ａを選択し、選択したドレン口１８ａに合わせてドレンパン１８の傾斜を変更するとよい。このように、ドレンパン１８の傾斜を可変させる構造を採れば、現地施工性が向上する。
【００２６】
図４は、空気調和装置の室内機１０に備わるファンケーシング１の外観斜視図である。図５は、ファンケーシング１の分解構造斜視図である。図４及び図５を参照して、ファンケーシング１の構造をより詳細に説明する。なお、図４及び図５においても、ｘ軸正方向、ｙ軸正方向、及びｚ軸正方向を、図１〜図３と同様に定義する。
【００２７】
ファンケーシング１は、筐体１１に固定されるケーシング本体部１ａと、ケーシング本体部１ａに固定されるケーシング分割部１ｂと、を有している。すなわち、ファンケーシング１は、前述の通り、筐体１１に備えた天パネル１９、前側フレーム２０、及び後側フレーム２１に固定されているが、これらに固定されているのはケーシング本体部１ａのみである。つまり、ファンケーシング１は、ケーシング本体部１ａが筐体１１に固定され、ケーシング分割部１ｂは、ケーシング本体部１ａにネジ止めされることにより、筐体１１に間接的に固定されている。
【００２８】
ファンケーシング１には、空気を給気する吸込口４と、吸込口４から給気された空気を吹き出す吹出口２とが形成されている。より具体的に、ケーシング本体部１ａの上部には、空気を吹き出す吹出口２が設けられている。また、図４に示すように、ファンケーシング１は、ケーシング本体部１ａとケーシング分割部１ｂとによって吸込口４を形成するものである。
【００２９】
さらに、ファンケーシング１は、ケーシング本体部１ａ及びケーシング分割部１ｂによって形成される吸込口４に配設される二つのベルマウス部６を有している。より具体的に、吸込口４は、ケーシング本体部１ａ及びケーシング分割部１ｂの一方の側面及び他方の側面にそれぞれ形成されており、二つのベルマウス部６は、それぞれ、一方の側面と他方の側面とに配設されている。
【００３０】
すなわち、ファンケーシング１は、吹出口２の近傍である第一接合部３と、吹出口２を上側とした場合の吸込口４の下部にあたる第二接合部５との二箇所において、ケーシング本体部１ａとケーシング分割部１ｂとに分割できる構造となっている。そして、送風時において、空気は、ベルマウス部６及びファンケーシング１の側面の吸込口４を経て、ファン７の内部に吸い込まれ、ファンケーシング１の内面を通り、吹出口２より吹き出される。
【００３１】
図５に示すように、ケーシング本体部１ａの第一接合部３にあたる部分には、フランジ状の第一本体折り曲げ部３ａが設けられている。ケーシング分割部１ｂの第一接合部３にあたる部分には、フランジ状の第一分割折り曲げ部３ｂが設けられている。第一本体折り曲げ部３ａ及び第一分割折り曲げ部３ｂは、ケーシング本体部１ａ及びケーシング分割部１ｂの外周から突起するように形成され、上方向である吹出口２の軸方向に沿って延びている。
【００３２】
ケーシング本体部１ａの第二接合部５にあたる部分には、フランジ状の第二本体折り曲げ部５ａが設けられている。ケーシング分割部１ｂの第二接合部５にあたる部分には、フランジ状の第二分割折り曲げ部５ｂが設けられている。第二本体折り曲げ部５ａ及び第二分割折り曲げ部５ｂは、ケーシング本体部１ａ及びケーシング分割部１ｂの外周から突起するように形成されている。また、ケーシング本体部１ａの下方には、固定部材１ｆが取り付けられている、第二本体折り曲げ部５ａ及び第二分割折り曲げ部５ｂは、前方に傾斜した斜め下方向に沿って延びている。
【００３３】
また、第一本体折り曲げ部３ａ及び第一分割折り曲げ部３ｂは、それぞれ、複数のネジ穴３ｈを有しており、第二本体折り曲げ部５ａ及び第二分割折り曲げ部５ｂは、それぞれ、複数のネジ穴５ｈを有している。すなわち、ファンケーシング１は、図４に示すように、ケーシング本体部１ａとケーシング分割部１ｂとをネジ３ｓ及びネジ５ｓによって固定できる構造となっている。
【００３４】
ベルマウス部６は、図５に示すように、複数のネジ穴６ｈを有しており、図４に示すように、ネジ６ｓによって、ケーシング本体部１ａ及びケーシング分割部１ｂに固定されるものである。ベルマウス部６には、中央に開口部６ａが設けられている。また、ベルマウス部６は、吸込口４に嵌め込まれる内径部６ｂと、ケーシング本体部１ａとケーシング分割部１ｂとの接合部である第一接合部３及び第二接合部５の少なくとも一部を塞ぐ平面部６ｃと、により構成されている。
【００３５】
ベルマウス部６は、開口部６ａに面する縁部が、ファンケーシング１の内部に向かって円弧状の断面となるように形成されている。すなわち、内径部６ｂの開口部６ａ側の面は、曲面であり、開口部６ａの軸方向を中心とした回転面における断面の形状が円弧状となっている。つまり、内径部６ｂの開口部６ａ側の曲面は、例えばｘｙ平面又はｙｚ平面で切断した断面が円弧状となっている。また、内径部６ｂ及び平面部６ｃは、ｘｚ平面で切断した断面の形状が円環状となっている。つまり、平面部６ｃは、側面視における形状が円環状となっている。そして、ベルマウス部６は、一体成形されており、従来のように分割して形成されたものではない。したがって、ベルマウス部６は、開口部６ａに面する部分にエッジなどの突起した部分が存在しないため、風切り音の発生を防ぐことができる。
【００３６】
本実施の形態では、ベルマウス部６の内径部６ｂが吸込口４に嵌り込むように構成されており、ベルマウス部６の開口径６ｄは、吸込口４の径よりも小さくなっている。また、送風効率を高めるために、ベルマウス部６の開口径６ｄは、ファン７の外径よりも小さくなっている。
【００３７】
さらに、吸込口４の径は、ファン７の外径よりも大きくなっている。このため、例えば、左側面パネル２５及び右側面パネル２４のうちの少なくとも一方を取り外すことにより、ケーシング分割部１ｂを取り外すことなく、ファン７を取り外すことができる。
【００３８】
ここで、本実施の形態におけるファンケーシング１は、第一接合部３における接合面の上下方向の長さが、第二接合部５における接合面の上下方向の長さよりも短くなっている。よって、ベルマウス部６の中心に対応する吸込口４の中心を「Ｏ」とした場合、中心Ｏと第一接合部３における外周の面との距離である第一仮想半径４ａは、中心Ｏと第二接合部５における外周の面との距離である第二仮想半径４ｂよりも短くなっている。なお、第一接合部３における接合面の上下方向の長さ及び第一仮想半径４ａには、第一本体折り曲げ部３ａ及び第一分割折り曲げ部３ｂの上下方向の長さは含まない。また、第二接合部５における接合面の上下方向の長さ及び第二仮想半径４ｂには、第二本体折り曲げ部５ａ及び第二分割折り曲げ部５ｂの上下方向の長さは含まない。
【００３９】
そして、ベルマウス部６は、ケーシング本体部１ａとケーシング分割部１ｂとの接合面の少なくとも一部を塞ぐものである。より具体的に、本実施の形態では、図４に示すように、ベルマウス部６の外径６ｅが、第一仮想半径４ａの二倍以上であり、かつ第二仮想半径４ｂの二倍より短くなっている。
【００４０】
ここで、第一仮想半径４ａの二倍の長さは、ケーシング本体部１ａとケーシング分割部１ｂとの一方の接合部である第一接合部３を基準とした外径に相当し、第二仮想半径４ｂの二倍の長さは、ケーシング本体部１ａとケーシング分割部１ｂとの他方の接合部である第二接合部５を基準とした外径に相当する。
【００４１】
このように、ファンケーシング１では、ケーシング本体部１ａとケーシング分割部１ｂとの接合面の少なくとも一部が、ベルマウス部６によって塞がれているため、ファン７の送風時における風漏れの発生を抑制することができる。
【００４２】
もっとも、ベルマウス部６の平面部６ｃの側面視における形状は、円環状に限らず、例えば、ベルマウス部６の第二接合部５側の仮想半径が、ベルマウス部６の第一接合部３側の仮想半径よりも長くなるような任意の形状とし、第一接合部３及び第二接合部５を全て覆うようにしてもよい。
【００４３】
ところで、第一本体折り曲げ部３ａと第一分割折り曲げ部３ｂとは、ネジ３ｓの締結力によって固定されており、第二本体折り曲げ部５ａと第二分割折り曲げ部５ｂとも、ネジ５ｓの締結力によって固定されている。また、本実施の形態では、ケーシング本体部１ａとケーシング分割部１ｂとの接合面のうち、ケーシング本体部１ａ及びケーシング分割部１ｂの側面で、かつ第一接合部３にあたる部分には、あらかじめ振動による接触のないレベルで隙間を設けている。これは、ケーシング本体部１ａの端面とケーシング分割部１ｂの端面とは、製作公差によって均一に接触しないことから、第一接合部３に上記隙間を設けなければ、送風時の振動による連続的な接触音が発生してしまうためである。すなわち、ファンケーシング１は、ケーシング本体部１ａとケーシング分割部１ｂとの接合面に、ケーシング本体部１ａの端面とケーシング分割部１ｂの端面とが送風時においても接触しない程度の僅かな隙間が設けられているため、連続的な接触音である異音の発生を抑えることができる。
【００４４】
しかしながら、送風時には、第一接合部３に設けられた隙間から風が漏れてしまう。この点、ファンケーシング１では、一体成形品であるベルマウス部６が、ケーシング本体部１ａ及びケーシング分割部１ｂによって形成される側面に配設され、第一接合部３に設けられた隙間は、ベルマウス部６の平面部６ｃが塞ぐように構成されている。このため、ファンケーシング１によれば、送風時の風漏れを防ぐことができる。すなわち、ベルマウス部６は、ファンケーシング１の風漏れ防止機能を有している。
【００４５】
また、第一分割折り曲げ部３ｂの端部には、第一本体折り曲げ部３ａの方向に向かって延びる係止部３ｃが設けられている。よって、ケーシング分割部１ｂを取り付ける際又は取り外す際に、係止部３ｃがケーシング本体部１ａに係止されるため、ケーシング分割部１ｂの脱落を抑制することができる。すなわち、ファンケーシング１によれば、メンテナンス時の安全性を高めると共に、ケーシング分割部１ｂの着脱時における作業性を向上することができる。
【００４６】
さらに、ケーシング分割部１ｂは、側面のうち、第二接合部５にあたる部分に、ケーシング本体部１ａの内面に重なるように形成された差込部５ｃを有している。すなわち、ケーシング分割部１ｂは、ケーシング本体部１ａとの接合部である第二接合部５にあたる部分に、ケーシング本体部１ａに向かって延び、ケーシング本体部１ａの内面に接する差込部５ｃを有している。このため、ケーシング本体部１ａにケーシング分割部１ｂを取り付けたとき、ベルマウス部６の取付面を面一にすることができると共に、送風時における風漏れを抑制することができる。
【００４７】
より具体的に、ケーシング分割部１ｂの下方における接合面と差込部５ｃとの境界部分には、側面側つまりベルマウス部６側に段差が形成されており、差込部５ｃは、ケーシング分割部１ｂの下方における接合面から突出するように設けられている。したがって、ケーシング本体部１ａとケーシング分割部１ｂとを接合させると、ケーシング本体部１ａの下方における接合部が、上記段差に嵌り、ケーシング分割部１ｂの下方における接合面及び差込部５ｃの側面側の面に当接する。これにより、ケーシング本体部１ａ及びケーシング分割部１ｂの第二接合部５における側面が面一の状態となる。
【００４８】
ところで、ケーシング本体部１ａに差込部５ｃを設けるようにしてもよいが、ファンケーシング１内における空気の流れ方向を考慮すると、ケーシング分割部１ｂ側に設ける方がより好ましい。なぜなら、ファンケーシング１内における空気は、ケーシング本体部１ａからケーシング分割部１ｂに向かって流れるため、ケーシング本体部１ａに差込部５ｃを設けた場合は、当該差込部５ｃの先端面が抵抗となり、騒音の発生原因となるためである。すなわち、ファンケーシング１は、差込部５ｃをケーシング分割部１ｂ側に有するため、差込部５ｃに起因した騒音の発生を回避することができる。
【００４９】
なお、上述の通り、ベルマウス部６の外径６ｅは、第二仮想半径４ｂの二倍よりも短くなっているが、本実施の形態では、ケーシング分割部１ｂに差込部５ｃが設けられている。よって、ファンケーシング１によれば、ケーシング本体部１ａとケーシング分割部１ｂとの接合面のうち、ベルマウス部６によって覆われていない部分からの風漏れを防ぐことができるため、送風時における風切り音の発生を抑えることができる。
【００５０】
以上のように、ファンケーシング１において、吸込口４には、ベルマウス部６が、ケーシング本体部１ａ及びケーシング分割部１ｂとは別部品として設けられている。すなわちベルマウス部６は、その縁が、開口部６ａの軸方向及びファンケーシング１の内側に向かって円弧状の断面となるように一体成形されたものである。そして、ベルマウス部６は、ケーシング本体部１ａ及びケーシング分割部１ｂから分離可能に構成されている。したがって、ファンケーシング１には、従来の分割構造にみられる接合面のずれによって生じるエッジ部がないため、送風による風切り音の発生を抑えることができる。
【００５１】
また、ファンケーシング１は、第一接合部３と第二接合部５とにおいて、ケーシング本体部１ａとケーシング分割部１ｂとに分離可能となっている。そして、ケーシング本体部１ａのみが、前側フレーム２０及び後側フレーム２１に固定される構造となっている。さらに、モータ取付板２２は、モータ台２３に対して、前側はネジ止めにより固定でき、後ろ側はピンによる係止で固定できる構造となっている。このため、ファン７のメンテナンス時には、ベルマウス部６のネジ６ｓを取り外した上で、第一本体折り曲げ部３ａと第一分割折り曲げ部３ｂとを固定しているネジ３ｓと、第二本体折り曲げ部５ａと第二分割折り曲げ部５ｂとを固定しているネジ５ｓとを取り外せば、ケーシング分割部１ｂのみを取り外すことができる。また、ファン７及びモータ８のメンテナンス時においては、ネジ３ｓ及びネジ５ｓと共に、モータ台２３にモータ取付板２２を固定する前側のネジ及び後側のピンを取り外すだけで、ファンケーシング１の全てを取り外すことなく、ファン７及びモータ８を取り外すことができる。すなわち、ファンケーシング１によれば、メンテナンス性の向上を図ることができる。
【００５２】
さらに、筐体１１は、ケーシング分割部１ｂを保持する部材を有していないため、ケーシング分割部１ｂを支えるための構成部材を有していなければ、ケーシング分割部１ｂの着脱時に、ケーシング分割部１ｂを脱落させ、ケーシング分割部１ｂ及び筐体１１内の構成部材を破損させるおそれがある。この点、ケーシング分割部１ｂは、係止部３ｃを有しており、ケーシング分割部１ｂの着脱時には、係止部３ｃがケーシング本体部１ａに係止されるため、ケーシング分割部１ｂを脱落に起因した各構成部材の破損等のリスクを低減することができる。
【００５３】
また、ファンケーシング１の側面の第一接合部３にあたる部分には、振動により接触しない程度の隙間が設けられていることから、ケーシング本体部１ａの端面とケーシング分割部１ｂの端面とが送風時においても接触しないため、異音の発生を抑制することができる。そして、ファンケーシング１は、一体成形品であるベルマウス部６が、第一接合部３に設けられた隙間を覆うように構成されているため、送風時における当該隙間からの風漏れを防ぐことができる。
【００５４】
加えて、ケーシング分割部１ｂの第二接合部５にあたる部分には、ケーシング本体部１ａの内面に重なるように突出した差込部５ｃが設けられている。このため、ファンケーシング１によれば、送風時における風漏れ及び風漏れによる音を抑制することができる。
【００５５】
上記実施の形態は、空気調和装置における好適な具体例であり、本発明の技術的範囲は、これらの態様に限定されるものではない。例えば、上記実施の形態では、ファン７が両吸込形のシロッコファンであり、ケーシング本体部１ａ及びケーシング分割部１ｂによって二つの吸込口４が形成されている場合を例示したが、これに限定されるものではない。すなわち、例えば、ファン７として片吸込形のシロッコファンを採用し、ケーシング本体部１ａ及びケーシング分割部１ｂによって、一方の側面のみに吸込口４が形成されるようにしてもよい。かかる構成を採った場合、ファンケーシング１は、一つの吸込口４に配設する一つのベルマウス部６を有していればよい。また、ファン７として片吸込形のシロッコファンを採用し、ケーシング本体部１ａ及びケーシング分割部１ｂによって、一方の側面に吸込口４を形成し、他方の側面にモータ８の連結用の開口を設けたような場合にも、ファンケーシング１が、一つの吸込口４に配設する一つのベルマウス部６を有するようにしてもよい。
【００５６】
加えて、上記実施の形態では、吸込口４の径、ファン７の外径、ベルマウス部６の開口径６ｄの順に小さくなっている構成を例示したが、これに限らず、例えば、ベルマウス部６の開口径６ｄは、ファン７の外径より大きくてもよい。また、吸込口４の径は、ファン７の外径より小さくてもよい。
【００５７】
また、上記実施の形態では、室内機１０が被調和室内の床面に配置された場合を例に説明したが、これに限らず、室内機１０は、被調和室内の天井部又は天井裏部などに配置するようにしてもよい。併せて、図１〜図５を用いての説明では、便宜上、上方向と下方向とを特定したが、これに限らず、ファンケーシング１は、室内機１０の構成に応じて、配置する方向を適宜変更することができる。
【００５８】
さらに、上記実施の形態では、室内機１０が、送風に関する構成部品であるファンケーシング１、ベルマウス部６、ファン７、及びモータ８を一式しか備えていない場合を例示したが、これに限定されるものではない。すなわち、上記実施の形態では、筐体１１内に、送風に関する構成部品を一式そろえて構成された送風機が一台だけ配設された例を示しているが、室内機１０は、複数の送風機を有していてもよい。例えば、室内機１０は、筐体１１内の左右方向に、複数の送風機を並べて配設するようにしても、上記同様の効果を得ることができる。また、ファンケーシング１は、室外機として機能する熱源機に設けるようにしてもよく、すなわち、ファンケーシング１は、例えば、熱源機内のファンを収容するファンケーシングとして適用してもよい。
【００５９】
また、第一本体折り曲げ部３ａ及び第一分割折り曲げ部３ｂが吹出口２の軸方向に沿って延びている場合を例示したが、これに限定されるものではない。すなわち、第一本体折り曲げ部３ａ及び第一分割折り曲げ部３ｂは、ケーシング本体部１ａにケーシング分割部１ｂを当接させたときに、第一本体折り曲げ部３ａと第一分割折り曲げ部３ｂとが平行となる限り、任意の方向に突出させることができる。同様に、第二本体折り曲げ部５ａ及び第二分割折り曲げ部５ｂは、ケーシング本体部１ａにケーシング分割部１ｂを当接させたときに、第二本体折り曲げ部５ａと第二分割折り曲げ部５ｂとが平行となる限り、任意の方向に突出させることができる。もっとも、ケーシング本体部１ａとケーシング分割部１ｂとは、ネジ３ｓ及びネジ５ｓによって固定されるため、第一本体折り曲げ部３ａ及び第一分割折り曲げ部３ｂと、第二本体折り曲げ部５ａ及び第二分割折り曲げ部５ｂとは、ケーシング本体部１ａ及びケーシング分割部１ｂの外周に対して垂直に突起させるようにするとよい。
【符号の説明】
【００６０】
１  ファンケーシング、１ａ  ケーシング本体部、１ｂ  ケーシング分割部、１ｆ  固定部材、２  吹出口、３  第一接合部、３ａ  第一本体折り曲げ部、３ｂ  第一分割折り曲げ部、３ｃ  係止部、３ｈ、５ｈ、６ｈ  ネジ穴、３ｓ、５ｓ、６ｓ  ネジ、４  吸込口、４ａ  第一仮想半径、４ｂ  第二仮想半径、５  第二接合部、５ａ  第二本体折り曲げ部、５ｂ  第二分割折り曲げ部、５ｃ  差込部、６  ベルマウス部、６ａ  開口部、６ｂ  内径部、６ｃ  平面部、６ｄ  開口径、６ｅ  外径、７  ファン、７ａ  羽根、８  モータ、１０  室内機、１１  筐体、１２  吹出部、１３  前側吸込部、１４  後側吸込部、１５  吹出フランジ、１６  ドレン受け、１７  ドレン導水部、１８  ドレンパン、１８ａ  ドレン口、１９  天パネル、２０  前側フレーム、２１  後側フレーム、２２  モータ取付板、２３  モータ台、２４  右側面パネル、２５  左側面パネル、３０  熱交換器。
【図１】
2017134720.tif 000003
【図２】
2017134720.tif 000004
【図３】
2017134720.tif 000005
【図４】
2017134720.tif 000006
【図５】
2017134720.tif 000007
【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
ファンと、
前記ファンを収容し、空気を給気する吸込口及び前記吸込口から給気された前記空気を吹き出す吹出口が形成されたファンケーシングと、
前記ファンによって流動する前記空気が通過する熱交換器と、
前記空気の吹出部及び吸込部が形成され、前記ファンを収容した前記ファンケーシング及び前記熱交換器が内部に設けられた筐体と、
を有し、
前記ファンケーシングは、
前記筐体に固定されるケーシング本体部と、
前記ケーシング本体部に固定されるケーシング分割部と、
前記ケーシング本体部及び前記ケーシング分割部によって形成される前記吸込口に配設された一体成形品であるベルマウス部と、を有する空気調和装置。
【請求項２】
前記ケーシング本体部に前記吹出口が形成された、請求項１に記載の空気調和装置。
【請求項３】
前記ファンの外径は、前記吸込口の径よりも小さい請求項１又は２に記載の空気調和装置。
【請求項４】
前記ベルマウス部の開口径は、前記ファンの外径よりも小さい請求項１〜３の何れか一項に記載の空気調和装置。
【請求項５】
前記ベルマウス部は、前記ケーシング本体部と前記ケーシング分割部との接合面の少なくとも一部を塞ぐものである請求項１〜４の何れか一項に記載の空気調和装置。
【請求項６】
前記ケーシング本体部と前記ケーシング分割部とは、二箇所で接合されており、
前記ベルマウス部の外径は、前記ケーシング本体部と前記ケーシング分割部との接合部のうちの少なくとも一方を基準とした外径以上の長さである請求項１〜５の何れか一項に記載の空気調和装置。
【請求項７】
前記ケーシング分割部は、前記ケーシング本体部との接合部に、前記ケーシング本体部に向かって延び、前記ケーシング本体部の内面に接する差込部を有する請求項１〜６の何れか一項に記載の空気調和装置。
【請求項８】
前記ケーシング分割部は、
上端部にフランジ状の折り曲げ部を有すると共に、
前記折り曲げ部の上端部から前記ケーシング本体部に向かって延びる係止部を有する請求項１〜７の何れか一項に記載の空気調和装置。
【国際調査報告】
2017134720.tif 000008
2017134720.tif 000009
2017134720.tif 000010
2017134720.tif 000011